(57)【要約】 【課題】  一個売りした場合でも陳列状態の見栄えが良く且つ一定の占有面積に対して多くの個数を陳列できる握り飯用収納容器を提供すること。【解決手段】  縦長の握り飯をほぼ直立姿勢で挿入支持させる有底筒状の容器本体１と、前記容器本体１から突出する握り飯部分を包皮するカバー２とを具備し、前記容器本体１とカバー２とは密封状態になっており、前記容器本体１に対してカバー２全体又は一部を引き離すことにより開封可能である。【選択図面】  図２
2006264770.tif 000002
【特許請求の範囲】
【請求項１】
縦長の握り飯をほぼ直立姿勢で挿入支持させる有底筒状の容器本体と、前記容器本体から突出する握り飯部分を包皮するカバーとを具備し、前記容器本体とカバーとは密封状態になっており、前記容器本体に対してカバー全体又は一部を引き離すことにより開封可能であることを特徴とする握り飯の収納容器。
【請求項２】
容器本体及びカバーは共にフランジが形成されていると共に全体が弾性合成樹脂により成るものであり、前記フランジのうちの一方側に凸部が、他方側に凹部が、それぞれ形成され、前記凸部の凹部への嵌入により容器本体とカバーとが密封状態となっていることを特徴とする請求項１記載の握り飯の収納容器。
【請求項３】
容器本体は弾性合成樹脂により、カバーは筒状の樹脂製シート材により、それぞれ構成されており、カバーは容器本体の外周面に融着されていると共に、容器本体からの切り離しを可能にする切り取りラインが形成されていることを特徴とする請求項１記載の握り飯の収納容器。
【請求項４】
容器本体の底面には凹凸が形成されていることを特徴とする請求項１乃至３のいずれかに記載の握り飯の収納容器。
【請求項５】
容器本体の底面には吸液シートが配置されていることを特徴とする請求項１乃至３のいずれかに記載の握り飯の収納容器。
【発明の詳細な説明】
【技術分野】
【０００１】
この発明は、一個の縦／横比が大きい握り飯（例えば、巻き寿司、稲荷寿司、太鼓型おにぎり等の縦長のもの）を収容するための握り飯用収納容器に関するものである。
【背景技術】
【０００２】
近年、コンビニエンスストアー等において、握り寿司や稲荷寿司をパックに収容してあるものが陳列棚に置かれているのを見かけるが、これらは弁当にかえて食するものであるから、空腹感を抑える程度の個数を１パック内に収容しているものがほとんどである（例えば、特許文献１。）。
【０００３】
しかしながら、人によっては１パック内の全ての寿司を食べきることができないことから、食べ残したものを全て廃棄しなければならなかった。また、それほど空腹感はないが少しだけ寿司を食べたいこともある。したがって、顧客の間では自分が望む量のみを購入できるように所謂一個売りして欲しいという願望があった。
【０００４】
一方、販売店の立場からすると、フィルムで包装した握り飯を単に陳列棚に倒した状態で置くのでは見栄えが良くない上、一定の占有面積に対する陳列数が少なくなってしまうことから、顧客からの願望をそのまま受け入れることができないというジレンマがあった。
【特許文献１】特開２００１−１７１７７０号
【発明の開示】
【発明が解決しようとする課題】
【０００５】
そこでこの発明では、一個売りした場合でも陳列状態の見栄えが良く且つ一定の占有面積に対して多くの個数を陳列できる握り飯用収納容器を提供することを課題とする。
【課題を解決するための手段】
【０００６】
（請求項１記載の発明）
この発明の握り飯の収納容器は、縦長の握り飯をほぼ直立姿勢で挿入支持させる有底筒状の容器本体と、前記容器本体から突出する握り飯部分を包皮するカバーとを具備し、前記容器本体とカバーとは密封状態になっており、前記容器本体に対してカバー全体又は一部を引き離すことにより開封可能である。
【０００７】
（請求項２記載の発明）
この発明の握り飯の収納容器は、上記請求項１記載の発明に関し、容器本体及びカバーは共にフランジが形成されていると共に全体が弾性合成樹脂により成るものであり、前記フランジのうちの一方側に凸部が、他方側に凹部が、それぞれ形成され、前記凸部の凹部への嵌入により容器本体とカバーとが密封状態となっている。
【０００８】
（請求項３記載の発明）
この発明の握り飯の収納容器は、上記請求項１記載の発明に関し、容器本体は弾性合成樹脂により、カバーは筒状の樹脂製シート材により、それぞれ構成されており、カバーは容器本体の外周面に融着されていると共に、容器本体からの切り離しを可能にする切り取りラインが形成されている。
【０００９】
（請求項４記載の発明）
この発明の握り飯の収納容器は、上記請求項１乃至３のいずれかに記載の発明に関し、容器本体の底面には凹凸が形成されている。
【００１０】
（請求項５記載の発明）
この発明の握り飯の収納容器は、上記請求項１乃至３のいずれかに記載の発明に関し、容器本体の底面には吸液シートが配置されている。
【発明の効果】
【００１１】
この発明の握り飯用収納容器では、一個売りした場合でも陳列状態の見栄えが良く且つ一定の占有面積に対して多くの個数を陳列できる。
【発明を実施するための最良の形態】
【００１２】
以下にこの発明の握り飯用収納容器を実施するための最良の形態としての実施例について詳細に説明する。
【実施例１】
【００１３】
図１はこの発明の実施例１の握り飯用収納容器Ｙと稲荷寿司Ｓとの分解斜視図、図２は前記握り飯用収納容器Ｙ内に稲荷寿司Ｓを収納した状態を示す断面図、図３は握り飯用収納容器Ｙを構成する容器本体１とカバー２とを示す拡大断面図を示している。
【００１４】
（この握り飯用収納容器Ｙの構成について）
この握り飯用収納容器Ｙは、基本的には図１や図２に示すように、稲荷寿司Ｓ（縦長の握り飯に対応する）をほぼ直立姿勢で挿入支持させる有底筒状の容器本体１と、前記容器本体１から上方に突出する稲荷寿司Ｓ部分を包皮するカバー２とを具備し、前記容器本体１とカバー２とは密封状態になっており、前記容器本体１に対してカバー２を引き離すことにより開封できるようになっている。
【００１５】
以下に、上記容器本体１、カバー２の構成について説明する。
（容器本体１の構成について）
容器本体１は、ポリエチレン層とナイロン層から成る２層構造の樹脂材により構成されており、図１や図２に示すように、底面から上部開放端に向かって徐々に拡径していく円筒状に形成されている。そして、この容器本体１の底面は、図２に示すように、中央部分が外周部から膨れ上がった状態（凹凸をつけた状態）となっており、その上面には底面形状に倣う態様で吸液シート３を配置させてある。
【００１６】
ここで、この容器本体１は、図２に示すように、稲荷寿司Ｓが縦長方向に半分程度挿入できる高さに設定してあり、また、底部に近い最小内径部は稲荷寿司Ｓが僅かに間隙を持って位置させ得る程度の寸法に設定してある。具体的には、上部の直径：約４４ｍｍ、底部の直径：約４０ｍｍ、高さ：約４０ｍｍである。
【００１７】
（カバー２の構成について）
カバー２は、ポリエチレン樹脂により構成された筒状シートにより形成されており、その直径は容器本体１の上部の直径よりも僅かに大きく設定してある。なお、このカバー２では、上端部２０は水密状態に熱融着により閉じてある。
【００１８】
ここで、このカバー２は、図２に示すように、下端から一定域を上記容器本体１に水密状態に全周を熱融着してあり、この状態において上記容器本体１から突出する稲荷寿司Ｓ部分を余裕を持って収納できる程度の長さに設定してある。上記筒状シートは具体的には、長さ：約６０ｍｍ、直径：約４４ｍｍ、厚み：約５μｍである。
【００１９】
また、このカバー２は、容器本体１に融着される部分よりも少し上域に、厚みを薄くして成る切り取りライン２１が全周形成されている。
【００２０】
なお、このカバー２は、液漏れ対策を考慮した場合、図４に示すように二層構造とし、外面シート２ａ側と内面シート２ｂ側に千鳥の態様で薄肉部２２を形成した切り取りライン２１を構成させることが好ましい。
【００２１】
この握り飯用収納容器Ｙは、以下の(1) 〜(6) に示すように、従来の収納容器にはない優れた機能を有している。
【００２２】
(1) 図２に示すように、カバー２の上端部２０は熱融着により閉じてあり、カバー２の下端から一定域を上記容器本体１に水密状態に全周を熱融着してあるので、稲荷寿司Ｓからの味液等が外部に漏れるようなことはない。
【００２３】
(2) 稲荷寿司Ｓを食する際には容器本体１を片手で摘まみ、他方の手でカバー２を引っ張ると、切り取りライン２１でカバー２が切断される。つまり、容易に開封できる。実際に稲荷寿司Ｓを食する場合は、容器本体１を手で摘んだ状態でそのままの状態で食することができるので、手を汚すことがない。
【００２４】
(3) 縦長の稲荷寿司Ｓを直立姿勢で陳列棚に置くことができるので、一定の占有面積に対して多くの個数を陳列できることになる。
【００２５】
(4) 吸液シート３の存在により、稲荷寿司Ｓは適度な水分率で保たれることになる。
【００２６】
(5) 縦長の稲荷寿司Ｓを直立姿勢で陳列棚に置くことができるので、見栄え良く陳列することができる。
【００２７】
(6) カバー２等に可愛いイラスト等を印刷しておくことにより、商品としての付加価値を高めることができる。
【実施例２】
【００２８】
図５はこの発明の実施例２の握り飯用収納容器Ｙと稲荷寿司Ｓとの分解斜視図、図６は前記握り飯用収納容器Ｙ内に稲荷寿司Ｓを収納した状態を示す断面図、図７は握り飯用収納容器Ｙを構成する容器本体１とカバー２との接合部を示す拡大断面図を示している。
【００２９】
（この握り飯用収納容器Ｙの構成について）
この握り飯用収納容器Ｙは、基本的には図５や図６に示すように、稲荷寿司Ｓ（縦長の握り飯に対応する）をほぼ直立姿勢で挿入支持させる有底筒状の容器本体１と、前記容器本体１から上方に突出する稲荷寿司Ｓ部分を包皮する有天板筒状のカバー２とを具備し、前記容器本体１に設けたフランジ１３とカバー２に設けたフランジ２３を介して開閉されるようにしてある。
【００３０】
ここで、この握り飯用収納容器Ｙでは、図６や図７に示すように、前記フランジ１３にはその上面全周域に凹部１４が、フランジ１４にはその下面全周域に凸部２４が、それぞれ形成されており、凹部１４に凸部２４が嵌め込まれることにより、容器本体１とカバー２とが密封状態となるようにしてある。図７に示した符号２５はリップを示しており、このリップを指で摘むことにより比較的容易に容器本体１からカバー２を取り外すことができるようになっている。
【００３１】
なお、この握り飯用収納容器Ｙ内の空間と稲荷寿司Ｓの占有空間との関係については上記実施例１とほぼ同等にすればよい。
【００３２】
（この握り飯用収納容器Ｙの優れた点について）
この握り飯用収納容器Ｙは、以下の(1) 〜(5) に示すように、従来の収納容器にはない優れた機能を有している。
【００３３】
(1) 図７に示すように、容器本体１とカバー２とは凹部１４に凸部２４が嵌め込まれることにより密封状態となるようにしてあるから、稲荷寿司Ｓからの味液等が外部に漏れるようなことはない。
【００３４】
(2) 稲荷寿司Ｓを食する際には容器本体１を片手で摘まみ、他方の手でリップ２５を引き上げるだけでカバー２を開くことができる。実際に稲荷寿司Ｓを食する場合は、容器本体１を手で摘んだ状態でそのままの状態で食することができるので、手を汚すことがない。      
【００３５】
(3)縦長の稲荷寿司Ｓを直立姿勢で陳列棚に置くことができるので、一定の占有面積に対して多くの個数を陳列できることになる。
【００３６】
(4) 縦長の稲荷寿司Ｓを直立姿勢で陳列棚に置くことができるので、見栄え良く陳列することができる。
【００３７】
(5) カバー２等に可愛いイラスト等を印刷しておくことにより、商品としての付加価値を高めることができる。
【００３８】
（他の実施の形態等について）
この発明における握り飯とは、巻き寿司、稲荷寿司、太鼓型おにぎり等の縦長のものを示すものであり、この握り飯用収納容器Ｙは前記握り飯に採用できる。
【００３９】
（参考形態）
図８に示すものは、一端側を融着して閉じた円筒状のポリエチレン樹脂シート内に稲荷寿司Ｓを入れ、その後に他端側を融着して閉じて成る稲荷寿司用の容器９であり、胴部の中央部に開封用帯ひもを設けてある。このような稲荷寿司Ｓが収容された容器９を多数略直立姿勢で立てて陳列する場合、図８に示すように当該容器９の下端部から胴にかけた部分を挿入できる孔ｈを多数有した陳列ケースＫを使用すればよい。
【００４０】
なお、前記容器９は完全に外部と遮断された密封状態となっているが、当該容器９内には揚げからの汁を吸収するための吸液シートを収容していることが好ましい。
【図面の簡単な説明】
【００４１】
【図１】この発明の実施例１の握り飯用収納容器と稲荷寿司との分解斜視図。
【図２】前記握り飯用収納容器内に稲荷寿司を収納した状態を示す断面図。
【図３】前記握り飯用収納容器を構成する容器本体とカバーとを示す拡大断面図。
【図４】前記カバーの他の形態を示す断面図。
【図５】この発明の実施例２の握り飯用収納容器と稲荷寿司との分解斜視図。
【図６】前記握り飯用収納容器内に稲荷寿司を収納した状態を示す断面図。
【図７】前記握り飯用収納容器を構成する容器本体とカバーとの接合部を示す拡大断面図を示している。
【図８】参考的に示した稲荷寿司収納用の容器及びこれを立てた状態で陳列する陳列ケースを示している説明図。
【符号の説明】
【００４２】
Ｙ        握り飯用収納容器
Ｓ        稲荷寿司
１        容器本体
２        カバー
３        吸液シート
【図１】
2006264770.tif 000003
【図２】
2006264770.tif 000004
【図３】
2006264770.tif 000005
【図４】
2006264770.tif 000006
【図５】
2006264770.tif 000007
【図６】
2006264770.tif 000008
【図７】
2006264770.tif 000009
【図８】
2006264770.tif 000010